(57)【要約】【課題】血圧測定時における外部から混入する振動を吸収するためのプロテクタの、装着性能の改善を可能とすることで、装着のための追加の時間を不要とし、また、被測定者に対する装着作業の開始を遅らせてしまうことのない構造を備える、血圧計用カフを提供する。【解決手段】この血圧計用カフ１００によれば、プロテクタ用空気袋１０５で血圧測定時における外部からの振動を吸収することが可能となる。また、プロテクタ用帯状部１０４が血圧測定用カフ１０１に対して一体となるように設けられていることから、血圧測定用カフ１０１を上腕１に巻き付けると同時に、プロテクタ用帯状部１０４も巻き付けることが可能となる。【選択図】図１
2010029291.tif 000002
【特許請求の範囲】
【請求項１】
血圧測定を行なう血圧計に用いられる血圧計用カフであって、
内部に血圧測定用流体袋を有し血圧測定を行なう際に生体の肢体に巻き付けられる帯状の血圧測定用カフと、
外部から前記カフ本体へ混入する振動を吸収するためのプロテクタを含むプロテクタ用帯状部と、を備え、
前記プロテクタ用帯状部は、前記血圧測定用カフとともに生体の肢体に巻き付けられるように、前記血圧測定用カフに対して一体となるように取り付けられ、
生体の血圧測定時に、肢体の表面から外方に向かう前記血圧測定用流体袋の突出量よりも、前記プロテクタの肢体の表面から外方に向かう突出量の方が大きい、血圧計用カフ。
【請求項２】
前記プロテクタは、内部に流体を導入することにより肢体の表面から外方に突出するプロテクタ用流体袋である、請求項１に記載の血圧計用カフ。
【請求項３】
前記血圧測定用流体袋は、内部に流体を導入するための第１導入管を有し、
前記プロテクタ用流体袋は、内部に流体を導入するための第２導入管を有し、
前記第１導入管および前記第２導入管は、前記第１導入管の一端と前記第２導入管の一端とを連結する分岐管を有し、
血圧計本体から送り出される流体が、前記分岐管を介して前記第１導入管および前記第２導入管に送り出されることを可能とする、請求項２に記載の血圧計用カフ。
【請求項４】
前記第２導入管は、流体の前記分岐管側への逆流を阻止するための逆止弁を有する、請求項３に記載の血圧計用カフ。
【請求項５】
前記プロテクタ用流体袋は、内部の流体を外部に排出するための排出管を有し、
前記排出管は、開閉弁を有する、請求項２に記載の血圧計用カフ。
【請求項６】
前記プロテクタは、肢体の表面から外方に突出するクッション性を有する固形物である、請求項１に記載の血圧計用カフ。
【請求項７】
前記固形物は、肢体に対向する面に凹部面を有する、請求項６に記載の血圧計用カフ。
【請求項８】
前記プロテクタ用帯状部は、
前記血圧測定用カフを挟んで第１プロテクタ用帯状部と第２プロテクタ用帯状部とを含み、
前記第１プロテクタ用帯状部は、前記プロテクタとして第１プロテクタを有し、
前記第２プロテクタ用帯状部は、前記プロテクタとして第２プロテクタを有する、請求項１に記載の血圧計用カフ。
【請求項９】
前記第１プロテクタの肢体の表面から外方に向かう突出量よりも、前記第２プロテクタの肢体の表面から外方に向かう突出量の方が大きい、請求項８に記載の血圧計用カフ。
【請求項１０】
前記プロテクタは、肢体を取り囲むように設けられる、請求項１に記載の血圧計用カフ。
【請求項１１】
前記プロテクタ用帯状部は、前記血圧測定用カフに対して着脱可能に設けられる、請求項１に記載の血圧計用カフ。
【発明の詳細な説明】
【技術分野】
【０００１】
この発明は、血圧計用カフに関する。
【背景技術】
【０００２】
生体の肢体にカフを巻いて行なう血圧測定では、被測定者への外部からの振動が多い状況や、被測定者の腕が絶えず動く状況などでは、その振動がカフに混入しノイズとなって誤った測定値となり、測定ができずにエラー表示になってしまうなどの問題があった。
【０００３】
特に医療用の血圧計の場合、救急車での搬送中、ストレッチャなどに寝た状態での搬送中に血圧が測定されるケースが多く、その場合、救急車の振動、ストレッチャの振動がカフにノイズとして混入する。
【０００４】
そこで、外部の振動が比較的大きい状況でも正確に血圧を測定するために、カフに混入する振動を阻止するためのプロテクタが下記特許文献１に開示されている。
【０００５】
しかしながら、下記特許文献１に開示されるプロテクタは、カフとは分離された別部材からなるため、カフを生体の肢体に巻く作業とは別に、被測定者にプロテクタを装着する作業が必要となる。そのため、血圧測定を開始するまでに、被測定者にプロテクタを装着するための追加の時間を要することになり、装着性能の点で問題があった。救急車での搬送中など、血圧測定に緊急を要する場合には、血圧測定開始までの時間が増加することを許容することはできない。
【０００６】
また、カフとプロテクタとは同時に使用するものであるから、常に同じ場所に収納しておくことが好ましいが、プロテクタは、カフとは分離された構造であるため、プロテクタをカフとは異なる場所に収納した結果、被測定者に対する装着作業の開始を遅らせてしまうことが懸念される。
【特許文献１】実開平０５−２８３０７号公報
【発明の開示】
【発明が解決しようとする課題】
【０００７】
この発明が解決しようとする課題は、血圧測定時における外部から混入する振動を吸収するプロテクタとカフとが分離された構造であるため、装着性に問題が生じるとともに、プロテクタを装着するために追加の時間が必要となる点にある。また、プロテクタとカフとは分離された構造であるため、プロテクタをカフとは異なる場所に収納し、被測定者に対する装着作業の開始を遅らせてしまう点にある。
【０００８】
したがって、この発明は上記課題を解決するためになされたものであり、この発明の目的は、血圧測定時における外部から混入する振動を吸収するためのプロテクタの装着性能を向上することで、装着のための追加の時間を不要とし、また、被測定者に対する装着作業の開始を遅らせてしまうことのない構造を備える、血圧計用カフを提供することにある。
【課題を解決するための手段】
【０００９】
この発明に基づいた血圧計用カフは、血圧測定を行なう血圧計に用いられる血圧計用カフであって、内部に血圧測定用流体袋を有し血圧測定を行なう際に生体の肢体に巻き付けられる帯状の血圧測定用カフと、外部から上記カフ本体へ混入する振動を遮るためのプロテクタを含むプロテクタ用帯状部とを備えている。
【００１０】
上記プロテクタ用帯状部は、上記血圧測定用カフとともに肢体に巻き付けられるように、上記血圧測定用カフに対して一体となるように取り付けられ、生体の血圧測定時に、生体の肢体の表面から外方に向かう上記血圧測定用流体袋の突出量よりも、上記プロテクタの肢体の表面から外方に向かう突出量の方が大きい。
【００１１】
この発明に基づいた血圧計用カフによれば、血圧測定用流体袋の肢体の表面から外方に向かう突出量よりも、プロテクタの肢体の表面から外方に向かう突出量の方が大きく設けられることで、肢体に巻き付けられた状態においては、肢体よりも先にプロテクタを外部に接触させることができる。これにより、血圧測定時における外部からの振動をプロテクタにより吸収することが可能となる。その結果、外部から振動が混入する可能性のある環境下でも正確に血圧測定を行なうことが可能となる。
【００１２】
また、プロテクタ用帯状部が血圧測定用カフに対して一体となるように設けられていることから、血圧測定用カフを生体の肢体に巻き付けると同時に、プロテクタ用帯状部も巻き付けることが可能となる。これにより、血圧測定時における外部からの振動を吸収するプロテクタの装着に追加の時間が不要となることから装着性能の向上が図られ、素早く血圧測定を行なうことが可能となる。さらに、プロテクタ用帯状部が血圧測定用カフに対して一体となるように設けられていることから、収納箇所が同一箇所となり、同時に取り出すことで、被測定者に対する血圧測定用カフの装着作業の開始を遅らせてしまうこともない。
【００１３】
また、上記血圧計用カフにおいて、上記プロテクタは、内部に流体を導入することにより肢体の表面から外方に突出するプロテクタ用流体袋である。また、上記血圧計用カフにおいて、上記血圧測定用流体袋は、内部に流体を導入するための第１導入管を有し、上記プロテクタ用流体袋は、内部に流体を導入するための第２導入管を有し、上記第１導入管および上記第２導入管は、上記第１導入管の一端と上記第２導入管の一端とを連結する分岐管を有し、血圧計本体から送り出される流体が、上記分岐管を介して上記第１導入管および上記第２導入管に送り出されることを可能とする。
【００１４】
このように、プロテクタにプロテクタ用流体袋を用いることで、素早くプロテクタ用流体袋を膨らませることができるとともに、容易に血圧測定時における外部からの振動の血圧測定用カフへの混入を阻止することが可能になる。
【００１５】
また、上記第２導入管は、流体の上記分岐管側への逆流を阻止するための逆止弁を有している。これにより、プロテクタ用流体袋により吸収した振動が流体を介して血圧測定用流体袋側に伝達することを防止することが可能となる。また、上記プロテクタ用流体袋は、内部の流体を外部に排出するための排出管を有し、上記排出管は開閉弁を有する。
【００１６】
これにより、血圧計用カフの未使用時には、血圧測定用流体袋と同様に、プロテクタ用流体袋内の流体を排出して、血圧計用カフを小型化し、収納時の利便性の向上を図ることが可能となる。
【００１７】
また、上記血圧計用カフにおいて、上記プロテクタは、肢体の表面から外方に突出するクッション性を有する固形物である。また、上記固形物は、肢体に対向する面に凹部面を有する。これにより、肢体よりも先に固形物を外部に接触させることができる。その結果、血圧測定時における外部からの振動をプロテクタにより吸収することが可能となる。また、上腕に本血圧計用カフを巻付けた場合には、プロテクタとしての固形物に設けられた凹部面にひじ等を載置することも可能となり、使用時における快適性を向上させることが可能となる。
【００１８】
また、上記血圧計用カフは、上記血圧測定用カフを挟んで第１プロテクタ用帯状部と第２プロテクタ用帯状部とを含み、上記第１プロテクタ用帯状部は、上記プロテクタとして第１プロテクタを有し、上記第２プロテクタ用帯状部は、上記プロテクタとして第２プロテクタを有する。これにより、２ヶ所のプロテクタを用いて外部からの振動を効果的に吸収することが可能になる。また、肢体を２ヶ所のプロテクタを用いて支持することも可能となるため、測定時における被測定者への負担を軽減させることが可能となる。
【００１９】
また、上記第１プロテクタの肢体の表面から外方に向かう突出量よりも、上記第２プロテクタの肢体の表面から外方に向かう突出量の方が大きく設けられている。これにより、血圧計用カフが巻きつけられる生体の肢体表面に傾斜が存在し、血圧計用カフの両側において外部との間に生じる隙間の間隔が異なる場合であっても、第１プロテクタと第２プロテクタとの突出量の差により、第１プロテクタおよび第２プロテクタと外部との間に隙間を生じさせることなく、第１プロテクタおよび第２プロテクタが外部と接し、振動を効果的に吸収するとともに、生体の肢体を支持することが可能となる。
【００２０】
また、上記血圧計用カフにおいて、上記プロテクタは生体の肢体を取り囲むように設けられる。これにより、生体の肢体への血圧計用カフの巻付け位置の自由度を向上させることができる。
【００２１】
また、上記プロテクタ用帯状部は、上記血圧測定用カフに対して着脱可能に設けられる。これにより、プロテクタ用帯状部のみの洗濯、プロテクタ用帯状部が破損した場合にプロテクタ用帯状部のみの交換が可能となり、血圧測定用カフを有効に利用し続けることが可能となる。
【発明の効果】
【００２２】
この発明に基づいた血圧計用カフによれば、血圧測定時における外部からの振動を吸収するプロテクタの装着に追加の時間が不要となることから装着性能の向上が図られ、また、被測定者に対する装着作業の開始を遅らせてしまうことのない構造を備える、血圧計用カフを提供することが可能となる。
【発明を実施するための最良の形態】
【００２３】
以下に、本発明の各実施の形態に基づいた血圧計用カフについて説明する。なお、以下の説明において、同一または相当する部分には同一の参照符号を付し、その説明を繰返さない場合がある。また、以下の説明においては、人体の上腕を被測定部位とする血圧計の血圧計用カフに本発明を適用した場合について説明しているが、測定部位として上腕に限定されるものではなく、手首、上肢、下肢、その他の生体の肢体に対して、血圧計用カフを巻き付けて血圧を測定する方式の血圧計に対しては、広く本発明を適用することが可能である。
【００２４】
また、生体の血圧測定を行なう血圧計の血圧測定方式には、代表的なものとして、オシロメトリック式、コロトコフ式が挙げられるが、本発明の特徴は、血圧計用カフの構造にあることから、血圧測定方式に限定されるものではない。また、血圧計用カフの構造として、血圧計用カフの形状を維持させるために内部にカーラを設けるタイプが存在するが、本発明は、カーラを設けるタイプ、カーラを設けないタイプの、いずれのタイプの血圧計用カフにも適用することが可能である。
【００２５】
また、以下に示す各実施の形態の形態おいて、流体に空気を用いた空気袋を用いた場合について説明しているが、流体は空気に限らずその他の気体を用いることが可能であり、また、気体に限らず水、その他の液体を用いることも可能である。
【００２６】
（実施の形態１）
以下、この発明に基づいた実施の形態１における血圧計用カフについて、図１から図３を参照して説明する。なお、図１は、本実施の形態における血圧計用カフを左腕の上腕に巻き付けた状態を示す斜視図であり、図２は、本実施の形態における血圧計用カフを左腕の上腕に巻き付けた状態を示す側面図であり、図３は、本実施の形態における血圧計用カフを開いた状態の平面図である。
【００２７】
（血圧計用カフ１００の全体構成）
図１から図３を参照して、本実施の形態における血圧計用カフ１００は、血圧測定を行なう際に、図１に示すように左腕の上腕１に巻き付けられ、血圧測定用空気袋１０２を有する帯状の血圧測定用カフ１０１と、外部からカフ本体へ混入する振動を遮るためのプロテクタを含むプロテクタ用帯状部１０４とを備えている。本実施の形態においては、上腕１に巻き付けることを目的としていることから、上腕１の末梢側（掌側）にプロテクタ用帯状部１０４を配置している。
【００２８】
血圧測定用カフ１０１の長手方向の一方端側には、上腕１に血圧計用カフ１００を巻付けた状態において、血圧計用カフ１００を上腕１に固定するための面ファスナ１０３が設けられている。血圧測定用カフ１０１とプロテクタ用帯状部１０４とは、一体となるよう連結されている。なお、血圧測定用カフ１０１とプロテクタ用帯状部１０４とは、図３に示すラインＬ１１に沿って、ファスナ、面ファスナ等を用いることで相互に着脱可能に設けることも可能である。
【００２９】
プロテクタ用帯状部１０４を血圧測定用カフ１０１に対して着脱可能に設けることで、プロテクタ用帯状部１０４のみの洗濯、プロテクタ用帯状部１０４が破損した場合にプロテクタ用帯状部１０４のみの交換が可能となり、血圧測定用カフ１０１を有効に利用し続けることができる。
【００３０】
（プロテクタ用帯状部１０４）
プロテクタ用帯状部１０４に設けられるプロテクタには、血圧測定用空気袋１０２と同様に、内部に空気を導入することにより上腕１の表面から外方に突出するプロテクタ用空気袋１０５を用いている。また、プロテクタ用空気袋１０５は、血圧測定用カフ１０１を上腕１に巻き付けた状態において、略上腕１を取り囲むように設けられている。なお、図示においては、プロテクタ用空気袋１０５の形態を明確に示すためにプロテクタ用空気袋１０５が露出した状態を示しているが、実際の使用時においては、血圧測定用カフ１０１と同様の外装用の布等に覆われている。以下に示す実施の形態においても同様である。
【００３１】
本実施の形態においては、上腕の下方に位置するベッド面Ｂ１に対して、上腕１および血圧測定用カフ１０１を浮かせるようにするため、上腕１の下方側（ベッド面Ｂ１側）にのみプロテクタ用空気袋１０５を設ける構成の採用も可能である。しかし、図１に示すように、被測定者の身体１Ｂに対しても上腕１および血圧測定用カフ１０１を浮かせるようすることで、身体１Ｂを介しての振動の混入も遮ることができることから、本実施の形態においては、装着時の自由度を高めるためにも、プロテクタ用空気袋１０５は、略上腕１を取り囲むように設けている。
【００３２】
さらに、血圧測定においては、仰臥位のほか、座位、側位、伏臥位など様々な姿勢が考えられ、上腕１を取り囲むようにプロテクタ用空気袋１０５を設けておくことで、汎用的に、上腕１の下方側（ベッド面Ｂ１側）に常にプロテクタ用空気袋１０５を配置させることができる。
【００３３】
プロテクタ用空気袋１０５は、図２に示すように血圧測定時に上腕１の表面から外方に向かう血圧測定用空気袋１０２の突出量（Ｌ１）よりも、プロテクタ用空気袋１０５の上腕１の表面から外方に向かう突出量（Ｌ２）の方が大きくなるように設けられている。これにより、上腕１よりも先にプロテクタ用空気袋１０５をベッド面Ｂ１に接触させることができる。その結果、プロテクタ用空気袋１０５で血圧測定時における外部からの振動を吸収することが可能となり、外部から振動が混入する可能性のある環境下でも正確に血圧測定を行なうことが可能となる。
【００３４】
プロテクタ用空気袋１０５には、血圧計本体１１０から送り込まれる空気を内部に導入するための第２導入チューブ１０７を有している。血圧測定用空気袋１０２も血圧計本体１１０から送り込まれる空気を内部に導入するための第１導入チューブ１０６を有しており、第１導入チューブ１０６および第２導入チューブ１０７は、第１導入チューブ１０６の一端と第２導入チューブ１０７の一端とを連結する分岐管１０８を有し、血圧計本体１１０からメインチューブ１０９を通じて送り出される空気が、分岐管１０８を介して第１導入チューブ１０６と第２導入チューブ１０７とに送り出されることを可能としている。
【００３５】
このように、プロテクタとしてプロテクタ用空気袋１０５を用いることで、素早くプロテクタ用空気袋１０５を膨らませることができるとともに、容易に血圧測定時における外部からの血圧測定用カフ１０１への振動の混入を阻止することが可能になる。なお、血圧計本体１１０から導入チューブを分岐させて２つの空気袋を膨張させる方式について説明したが、各空気袋のそれぞれに空気袋を膨張させるためのポンプ機構を設けることも可能である。
【００３６】
また、第２導入チューブ１０７には、空気の分岐管１０８側への逆流を阻止するための逆止弁１１１が設けられている。これにより、プロテクタ用空気袋１０５により吸収した振動が空気を介して血圧測定用空気袋１０２に伝達することを防止している。なお、第２導入チューブ１０７からの空気の分岐管１０８側への逆流が問題にならない場合には、逆止弁１１１を設ける必要なない。
【００３７】
さらに、プロテクタ用空気袋１０５は、内部の空気を外部に排出するための排出チューブ１１２を有し、この排出チューブ１１２には開閉弁１１３が設けられている。これにより、血圧計用カフ１００の未使用時には、血圧測定用空気袋１０２と同様に、プロテクタ用空気袋１０５内の空気を排出して、血圧計用カフ１００を小型化し、収納時の利便性の向上を図ることを可能としている。
【００３８】
以上、本実施の形態における血圧計用カフ１００によれば、血圧測定用空気袋１０２の上腕１の表面から外方に向かう突出量（Ｌ１）よりも、プロテクタ用空気袋１０５の上腕１の表面から外方に向かう突出量（Ｌ２）の方が大きく設けられることで、プロテクタ用空気袋１０５をベッド面Ｂ１に接触させて、上腕１をベッド面Ｂ１から離すことができる。これにより、プロテクタ用空気袋１０５で血圧測定時における外部からの振動を吸収することが可能となる。その結果、外部から振動が混入する可能性のある環境下でも正確に血圧測定を行なうことができる。
【００３９】
また、プロテクタ用帯状部１０４が血圧測定用カフ１０１に対して一体となるように設けられていることから、血圧測定用カフ１０１を上腕１に巻き付けると同時に、プロテクタ用帯状部１０４も巻き付けることが可能となるため、血圧測定時における外部からの振動を吸収するプロテクタの装着に追加の時間が不要となることから装着性能の向上が図られ、素早く血圧測定を行なうことが可能となる。さらに、プロテクタ用帯状部１０４が血圧測定用カフ１０１に対して一体となるように設けられていることから、収納箇所が同一箇所となり、同時に取り出すことで、被測定者に対する血圧測定用カフ１０１の装着作業の開始を遅らせてしまうこともない。
【００４０】
（実施の形態２）
次に、この発明に基づいた実施の形態２における血圧計用カフについて、図４および図５を参照して説明する。なお、図４は、本実施の形態における血圧計用カフを左腕の上腕に巻き付けた状態を示す側面図であり、図５は、本実施の形態における血圧計用カフを開いた状態の平面図である。
【００４１】
（血圧計用カフ２００の全体構成）
上記実施の形態における血圧計用カフ１００と本実施の形態における血圧計用カフ２００との相違点は、血圧計用カフ１００は、血圧測定用カフ１０１に対して、上腕１の末梢側（掌側）にプロテクタ用帯状部１０４を配置しているが、本実施の形態においては、血圧測定用カフ２０１を挟んで第１プロテクタ用帯状部２０４と第２プロテクタ用帯状部２０６とを配置している点が相違する。以下、詳細に説明する。
【００４２】
図４および図５を参照して、本実施の形態における血圧計用カフ２００は、血圧測定を行なう際に、図４に示すように左腕の上腕１に巻き付けられる帯状の血圧測定用カフ２０１と、外部からカフ本体へ混入する振動を吸収するため、第１プロテクタを含む第１プロテクタ用帯状部２０４を末梢側（掌側）に配置し、第２プロテクタを含む第２プロテクタ用帯状部２０６を肩側に配置し、第１プロテクタ用帯状部２０４と第２プロテクタ用帯状部２０６とにより血圧測定用カフ２０１を挟み込んでいる。
【００４３】
血圧測定用カフ２０１の長手方向の一方端側には、上腕１に血圧計用カフ２００を巻付けた状態において、血圧計用カフ２００を上腕１に固定するための面ファスナ２０３が設けられている。血圧測定用カフ２０１と第１プロテクタ用帯状部２０４および第２プロテクタ用帯状部２０６とは、一体となるよう連結されている。なお、血圧測定用カフ２０１と第１プロテクタ用帯状部２０４および第２プロテクタ用帯状部２０６とは、図５に示すラインＬ２１，Ｌ２２に沿って、ファスナ、面ファスナ等を用いることで相互に着脱可能に設けることも可能である。
【００４４】
第１プロテクタ用帯状部２０４および第２プロテクタ用帯状部２０６を血圧測定用カフ２０１に対して着脱可能に設けることで、第１プロテクタ用帯状部２０４および第２プロテクタ用帯状部２０６のみの洗濯、第１プロテクタ用帯状部２０４および第２プロテクタ用帯状部２０６が破損した場合に第１プロテクタ用帯状部２０４および第２プロテクタ用帯状部２０６のみの交換が可能となり、血圧測定用カフ２０１を有効に利用し続けることができる。
【００４５】
なお、本実施の形態２における血圧測定用カフ２０１と第１プロテクタ用帯状部２０４および第２プロテクタ用帯状部２０６とは、長手方向の長さが異なるように設けられ、一体となった状態では、血圧測定用カフ２０１に切欠領域Ｃ１，Ｃ２が設けられる。これは、上腕１に巻き付けた状態において、血圧測定用カフ２０１の面ファスナ２０３との巻付け量を大きく確保するためである。この切欠を設ける構成は、上記実施の形態１に採用することも可能である。
【００４６】
（第１プロテクタ用帯状部２０４および第２プロテクタ用帯状部２０６）
第１プロテクタ用帯状部２０４に設けられるプロテクタには、血圧測定用空気袋２０２と同様に、内部に空気を導入することにより上腕１の表面から外方に突出する第１プロテクタ用空気袋２０５を用いている。また、第２プロテクタ用空気袋２０５は、血圧測定用カフ２０１を上腕１に巻き付けた状態において、略上腕１を取り囲むように設けられている。
【００４７】
第２プロテクタ用帯状部２０６に設けられるプロテクタも、血圧測定用空気袋２０２と同様に、内部に空気を導入することにより上腕１の表面から外方に突出する第２プロテクタ用空気袋２０７を用いている。また、第２プロテクタ用空気袋２０７は、血圧測定用カフ２０１を上腕１に巻き付けた状態において、略上腕１を取り囲むように設けられている。
【００４８】
本実施の形態においては、上腕の下方に位置するベッド面Ｂ１に対して上腕１を浮かせるようにするため、上腕１の下方側（ベッド面Ｂ１側）にのみ第１プロテクタ用空気袋２０５および第２プロテクタ用空気袋２０７を設ける構成の採用も可能である。しかし、被測定者の身体１Ｂに対しても上腕１を浮かせるようすることで、身体１Ｂを介しての振動の混入も遮ることができることから、本実施の形態においては、装着時の自由度を高めるためにも、第１プロテクタ用空気袋２０５および第２プロテクタ用空気袋２０７は、略上腕１を取り囲むように設けている。
【００４９】
第１プロテクタ用空気袋２０５は、図４に示すように、血圧測定時に上腕１の表面から外方に向かう血圧測定用空気袋２０２の突出量（Ｌ１）よりも、第１プロテクタ用空気袋２０５の上腕１の表面から外方に向かう突出量（Ｌ２）の方が大きくなるように設けられている。さらに、第２プロテクタ用空気袋２０７は、血圧測定時に上腕１の表面から外方に向かう第１プロテクタ用空気袋２０５の突出量（Ｌ２）よりも、第２プロテクタ用空気袋２０７の上腕１の表面から外方に向かう突出量（Ｌ３）の方が大きくなるように設けられている。
【００５０】
これにより、血圧計用カフ２００が巻きつけられる上腕１に傾斜が存在し、血圧計用カフ２００の両側（掌側と肩側）においてベッド面Ｂ１や身体１Ｂとの間に生じる隙間の間隔が異なる場合であっても、第１プロテクタ用空気袋２０５と第２プロテクタ用空気袋２０７との突出量の差により、第１プロテクタ用空気袋２０５および第２プロテクタ用空気袋２０７と外部との間に隙間を生じさせることなく、第１プロテクタ用空気袋２０５および第２プロテクタ用空気袋２０７がベッド面Ｂ１や身体１Ｂと接し、振動を効果的に吸収して上腕１をしっかり支持することを可能とする。その結果、外部から振動が混入する可能性のある環境下でも正確に血圧測定を行なうことが可能となる。
【００５１】
血圧測定用空気袋２０２には、血圧計本体２１３から送り込まれる空気を内部に導入するための第１導入チューブ２１８を有している。第１プロテクタ用空気袋２０５には、血圧計本体２１３から送り込まれる空気を内部に導入するための第２導入チューブ２２７を有している。第２プロテクタ用空気袋２０７には、血圧計本体２１３から送り込まれる空気を内部に導入するための第３導入チューブ２２８を有している。
【００５２】
第１導入チューブ２１８、第２導入チューブ２２７および第３導入チューブ２２８は、第１導入チューブ２１８、第２導入チューブ２２７および第３導入チューブ２２８の一端をそれぞれ連結する分岐管２１１を有し、血圧計本体２１３からメインチューブ２１２を通じて送り出される空気が、分岐管２１１を介して第１導入チューブ２１８、第２導入チューブ２２７および第３導入チューブ２２８に送り出されることを可能としている。
【００５３】
このように、プロテクタとして第１プロテクタ用空気袋２０５および第２プロテクタ用空気袋２０７を用いることで、素早く第１プロテクタ用空気袋２０５および第２プロテクタ用空気袋２０７を膨らませることができるとともに、容易に血圧測定時における外部からの血圧測定用カフ２０１への振動の混入を阻止することが可能になる。なお、血圧計本体２１３から導入チューブを分岐させて３つの空気袋を膨張させる方式について説明したが、各空気袋のそれぞれに空気袋を膨張させるためのポンプ機構を設けることも可能である。
【００５４】
また、第２導入チューブ２２７および第３導入チューブ２２８には、空気の分岐管２１１側への逆流を阻止するための逆止弁２０９，２１０が設けられている。これにより、第１プロテクタ用空気袋２０５および第２プロテクタ用空気袋２０７により吸収した振動が空気を介して血圧測定用空気袋２０２に伝達することを防止している。なお、第２導入チューブ２２７および第３導入チューブ２２８からの空気の分岐管２１１側への逆流が問題にならない場合には、逆止弁２０９，２１０を設ける必要なない。
【００５５】
さらに、第１プロテクタ用空気袋２０５は、内部の空気を外部に排出するための第１排出チューブ２２３を有し、第２プロテクタ用空気袋２０７は、内部の空気を外部に排出するための第２排出チューブ２２５を有している。
【００５６】
第１排出チューブ２２３には開閉弁２２４が設けられ、第２排出チューブ２２５には開閉弁２２６が設けられている。これにより、血圧計用カフ２００の未使用時には、血圧測定用空気袋２０２と同様に、第１プロテクタ用空気袋２０５および第２プロテクタ用空気袋２０７内の空気を排出して、血圧計用カフ２００を小型化し、収納時の利便性の向上を図ることを可能としている。
【００５７】
以上、本実施の形態における血圧計用カフ２００によれば、血圧測定用空気袋２０２の上腕１の表面から外方に向かう突出量（Ｌ１）よりも、第１プロテクタ用空気袋２０５および第２プロテクタ用空気袋２０７の上腕１の表面から外方に向かう突出量（Ｌ２，Ｌ３）の方が大きく設けられることで、上腕１よりも先に第１プロテクタ用空気袋２０５および第２プロテクタ用空気袋２０７をベッド面Ｂ１に接触させることができる。
【００５８】
これにより、第１プロテクタ用空気袋２０５および第２プロテクタ用空気袋２０７で血圧測定時における外部からの振動を吸収することが可能となる。その結果、外部から振動が混入する可能性のある環境下でも正確に血圧測定を行なうことができる。
【００５９】
また、第１プロテクタ用帯状部２０４および第２プロテクタ用帯状部２０６が血圧測定用カフ２０１に対して一体となるように設けられていることから、血圧測定用カフ２０１を上腕１に巻き付けると同時に、第１プロテクタ用帯状部２０４および第２プロテクタ用帯状部２０６も巻き付けることが可能となるため、血圧測定時における外部からの振動を吸収するプロテクタの装着に追加の時間が不要となることから装着性能の向上が図られ、素早く血圧測定を行なうことが可能となる。
【００６０】
さらに、第１プロテクタ用帯状部２０４および第２プロテクタ用帯状部２０６が血圧測定用カフ１０１に対して一体となるように設けられていることから、収納箇所が同一箇所となり、同時に取り出すことで、被測定者に対する血圧測定用カフ２０１の装着作業の開始を遅らせてしまうこともない。
【００６１】
（実施の形態３）
以下、この発明に基づいた実施の形態３における血圧計用カフについて、図６から図９を参照して説明する。なお、図６は、本実施の形態における血圧計用カフを左腕の上腕に巻き付けた状態を示す斜視図であり、図７は、本実施の形態における血圧計用カフを左腕の上腕に巻き付けた状態を示す側面図であり、図８は、本実施の形態における血圧計用カフに用いられるプロテクタの構造を示す斜視図であり、図９は本実施の形態における血圧計用カフを開いた状態の平面図である。
【００６２】
（血圧計用カフ３００の全体構成）
図６から図９を参照して、本実施の形態における血圧計用カフ３００は、血圧測定を行なう際に、図６に示すように左腕の上腕１に巻き付けられる帯状の血圧測定用カフ３０１と、外部からカフ本体へ混入する振動を遮るためのプロテクタ３０５を含むプロテクタ用帯状部３０４とを備えている。
【００６３】
本実施の形態においては、上腕１に巻き付けることを目的としていることから、上腕１の末梢側（掌側）にプロテクタ用帯状部３０４を配置している。また、血圧測定用空気袋３０２は、血圧計本体３０７から送り込まれる空気を内部に導入するための導入チューブ３０６を有している。
【００６４】
血圧測定用カフ３０１の長手方向の一方端側には、上腕１に血圧計用カフ３００を巻付けた状態において、血圧計用カフ３００を上腕１に固定するための面ファスナ３０３が設けられている。血圧測定用カフ３０１とプロテクタ用帯状部３０４とは、一体となるよう連結されている。なお、血圧測定用カフ３０１とプロテクタ用帯状部３０４とは、図９に示すラインＬ３１に沿って、ファスナ、面ファスナ等を用いることで相互に着脱可能に設けることも可能である。
【００６５】
プロテクタ用帯状部３０４を血圧測定用カフ３０１に対して着脱可能に設けることで、プロテクタ用帯状部３０４のみの洗濯、プロテクタ用帯状部３０４が破損した場合にプロテクタ用帯状部３０４のみの交換が可能となり、血圧測定用カフ３０１を有効に利用し続けることができる。
【００６６】
（プロテクタ用帯状部３０４）
プロテクタ用帯状部３０４に設けられるプロテクタには、図８に示すように、上記各実施の形態とは異なり、上腕１の表面から外方に突出するクッション性を有する固形物として、肘当て部材３０５を採用している。肘当て部材３０５には、クッション性能を与えるため、ウレタンゴム、スポンジ等を用いている。また、肘当て部材３０５は、上腕の肘に対向する面に肘を受け入れることが可能な凹部面３０５ｂが設けられている。
【００６７】
以上、本実施の形態における血圧計用カフ３００によれば、プロテクタ用帯状部３０４に肘当て部材３０５を設けることで、図７に示すように、血圧測定時には、肘当て部材３０５により外部からの振動を吸収することが可能となり、外部から振動が混入する可能性のある環境下でも正確に血圧測定を行なうことが可能となる。
【００６８】
また、肘当て部材３０５に凹部面３０５ｂを設けることで、被測定者の肘を載置することができるため、上腕１を安定した状態で保持できるとともに、被測定者への負担を軽減することが可能になり、使用時における快適性を向上させることも可能となる。
【００６９】
また、プロテクタ用帯状部３０４が血圧測定用カフ３０１に対して一体となるように設けられていることから、血圧測定用カフ３０１を上腕１に巻き付けると同時に、プロテクタ用帯状部３０４も巻き付けることが可能となるため、血圧測定時における外部からの振動を吸収するプロテクタの装着に追加の時間が不要となることから装着性能の向上が図られ、素早く血圧測定を行なうことが可能となる。
【００７０】
さらに、プロテクタ用帯状部３０４が血圧測定用カフ３０１に対して一体となるように設けられていることから、収納箇所が同一箇所となり、同時に取り出すことで、被測定者に対する血圧測定用カフ３０１の装着作業の開始を遅らせてしまうこともない。
【００７１】
（実施の形態４）
以下、この発明に基づいた実施の形態４における血圧計用カフについて、図１０から図１１を参照して説明する。なお、図１０は、本実施の形態における血圧計用カフを左腕の上腕に巻き付けた状態を示す斜視図であり、図１１は、本実施の形態における血圧計用カフを開いた状態の平面図である。
【００７２】
（血圧計用カフ４００の全体構成）
図１０および図１１を参照して、本実施の形態における血圧計用カフ４００は、血圧測定を行なう際に、図１０に示すように左腕の上腕１に巻き付けられる帯状の血圧測定用カフ４０１と、外部からカフ本体へ混入する振動を遮るためのプロテクタを含むプロテクタ用帯状部４０４とを備えている。
【００７３】
本実施の形態においては、上腕１に巻き付けることを目的としていることから、上腕１の末梢側（掌側）にプロテクタ用帯状部４０４を配置している。また、血圧測定用空気袋４０２は、血圧計本体４０７から送り込まれる空気を内部に導入するための導入チューブ４０６を有している。なお、本実施の形態においては、肩側にも同様のプロテクタ用帯状部４０４を配置することも可能である。
【００７４】
血圧測定用カフ４０１の長手方向の一方端側には、上腕１に血圧計用カフ４００を巻付けた状態において、血圧計用カフ４００を上腕１に固定するための面ファスナ４０３が設けられている。血圧測定用カフ４０１とプロテクタ用帯状部４０４とは、一体となるよう連結されている。なお、血圧測定用カフ４０１とプロテクタ用帯状部４０４とは、図９に示すラインＬ４１に沿って、ファスナ、面ファスナ等を用いることで相互に着脱可能に設けることも可能である。
【００７５】
プロテクタ用帯状部４０４を血圧測定用カフ４０１に対して着脱可能に設けることで、プロテクタ用帯状部４０４のみの洗濯、プロテクタ用帯状部４０４が破損した場合にプロテクタ用帯状部４０４のみの交換が可能となり、血圧測定用カフ４０１を有効に利用し続けることができる。
【００７６】
（プロテクタ用帯状部４０４）
プロテクタ用帯状部４０４に設けられるプロテクタには、図１０に示すように、上記実施の形態１および２とは異なり、上腕１の表面から外方に突出するクッション性を有する固形物として環状部材４０５を採用している。環状部材４０５には、クッション性能を与えるため、ウレタンゴム、スポンジ等を用いている。
【００７７】
また、環状部材４０５は、上腕１に巻き付けた場合に、環状部材４０５の先端部同士の重なりを回避するために、プロテクタ用帯状部４０４の長手方向において傾斜するように取り付けられている。これは、人体の個人差により上腕１の長さ（周長）が異なるため、長手方向に余裕を持った寸法設計を行なうためである。
【００７８】
以上、本実施の形態における血圧計用カフ４００によれば、プロテクタ用帯状部４０４に環状部材４０５を設けることで、図１０に示すように、血圧測定時には、環状部材４０５により外部からの振動を吸収することが可能となり、外部から振動が混入する可能性のある環境下でも正確に血圧測定を行なうことが可能となる。
【００７９】
また、上腕１を取り囲むように環状部材４０５を配置することで、被測定者の身体１Ｂに対しても上腕１を浮かせることができ、身体１Ｂを介しての振動の混入も遮ることができる。
【００８０】
さらに、血圧測定においては、仰臥位のほか、座位、側位、伏臥位など様々な姿勢が考えられ、上腕１を取り囲むように環状部材４０５を設けておくことで、汎用的に、上腕１の下方側（ベッド面Ｂ１側）に常に環状部材４０５を配置させることができる。
【００８１】
また、プロテクタ用帯状部４０４が血圧測定用カフ４０１に対して一体となるように設けられていることから、血圧測定用カフ４０１を上腕１に巻き付けると同時に、プロテクタ用帯状部４０４も巻き付けることが可能となるため、血圧測定時における外部からの振動を吸収するプロテクタの装着に追加の時間が不要となることから装着性能の向上が図られ、素早く血圧測定を行なうことが可能となる。
【００８２】
さらに、プロテクタ用帯状部４０４が血圧測定用カフ４０１に対して一体となるように設けられていることから、収納箇所が同一箇所となり、同時に取り出すことで、被測定者に対する血圧測定用カフ４０１の装着作業の開始を遅らせてしまうこともない。
【００８３】
なお、本実施の形態においては、上腕１の末梢側（掌側）にプロテクタ用帯状部４０４を配置した場合について説明しているが、肩側にも同様の構成を有するプロテクタ用帯状部４０４を配置することも可能である。
【００８４】
この場合には、実施の形態１の図２を用いて説明したように、血圧測定時に上腕１の表面から外方に向かう末梢側（掌側）に環状部材４０５の突出量よりも、肩側に配置される環状部材４０５の突出量の方が大きくなるように設けている。
【００８５】
これにより、血圧計用カフ４００が巻きつけられる上腕１に傾斜が存在し、血圧計用カフ４００の両側（掌側と肩側）においてベッド面Ｂ１や身体１Ｂとの間に生じる隙間の間隔が異なる場合であっても、末梢側と肩側との突出量の差により、環状部材４０５と外部との間に隙間を生じさせることなく、両側（掌側と肩側）の環状部材４０５がベッド面Ｂ１や身体１Ｂと接し、振動を効果的に吸収して上腕１をしっかり支持することを可能とする。その結果、外部から振動が混入する可能性のある環境下でも正確に血圧測定を行なうことが可能となる。
【００８６】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【図面の簡単な説明】
【００８７】
【図１】実施の形態１における血圧計用カフを左腕の上腕に巻き付けた状態を示す斜視図である。
【図２】実施の形態１における血圧計用カフを左腕の上腕に巻き付けた状態を示す側面図である。
【図３】実施の形態１における血圧計用カフを開いた状態の平面図である。
【図４】実施の形態２における血圧計用カフを左腕の上腕に巻き付けた状態を示す側面図である。
【図５】実施の形態２における血圧計用カフを開いた状態の平面図である。
【図６】実施の形態３における血圧計用カフを左腕の上腕に巻き付けた状態を示す斜視図である。
【図７】実施の形態３における血圧計用カフを左腕の上腕に巻き付けた状態を示す側面図である。
【図８】実施の形態３における血圧計用カフに用いられるプロテクタの構造を示す斜視図である。
【図９】実施の形態３における血圧計用カフを開いた状態の平面図である。
【図１０】実施の形態４における血圧計用カフを左腕の上腕に巻き付けた状態を示す斜視図である。
【図１１】実施の形態４における血圧計用カフを開いた状態の平面図である。
【符号の説明】
【００８８】
１  上腕、１Ｂ  身体、１００，２００，３００，４００  血圧計用カフ、１０１，２０１，３０１，４０１  血圧測定用カフ、１０２，２０２，３０２，４０２  血圧測定用空気袋、１０３，２０３，３０３  面ファスナ、１０４，３０４，４０４  プロテクタ用帯状部、１０５  プロテクタ用空気袋、１０６  第１導入チューブ、１０７  第２導入チューブ、１０８，２１１  分岐管、１０９，２１２  メインチューブ、１１０，２１３，３０７，４０７  血圧計本体、１１１，２０９，２１０  逆止弁、１１２  排出チューブ、１１３，２２４，２２６  開閉弁、２０４  第１プロテクタ用帯状部、２０５  第１プロテクタ用空気袋、２０６  第２プロテクタ用帯状部、２０７  第２プロテクタ用空気袋、２１８  第１導入チューブ、２２３  第１排出チューブ、２２５  第２排出チューブ、２２７  第２導入チューブ、２２８  第３導入チューブ、３０５  肘当て部材、３０５ｂ  凹部面、３０６，４０６  導入チューブ、４０５  環状部材、Ｂ１  ベッド面、Ｃ１，Ｃ２  切欠領域、Ｌ１１，Ｌ２１，Ｌ２２，Ｌ３１  ライン。
【図１】
2010029291.tif 000003
【図２】
2010029291.tif 000004
【図３】
2010029291.tif 000005
【図４】
2010029291.tif 000006
【図５】
2010029291.tif 000007
【図６】
2010029291.tif 000008
【図７】
2010029291.tif 000009
【図８】
2010029291.tif 000010
【図９】
2010029291.tif 000011
【図１０】
2010029291.tif 000012
【図１１】
2010029291.tif 000013